(57)【要約】      （修正有）【課題】使用を表面、裏面に特定することなく、上面に形成された蛇腹状のループを屋外側に浅く、室内側に深く張設するように設定されたリバーシブルカーテンを提供する。【解決手段】上面に形成された蛇腹状のループを、屋外側に浅く、室内側に深く張設するように設定した状態で、カーテンを吊り下げる係止具２、３をカーテンの表面と裏面に同一配列で形成させることにより、使用を表面、裏面に特定することなく、常時室内側Ａに立体感をもたせることができるリバーシブルカーテンを構成する。【選択図】図１
0003157151.tif 000002
【実用新案登録請求の範囲】
【請求項１】
上面に蛇腹状のループを形成してなるカーテンであり、使用を表面、裏面に特定することなく、張設時に係止部において突出部が屋外側に浅く、室内側に深く張設されるように配置環境を設定した係止具を、カーテンの表面と裏面に同一配列で形成させたことを特徴とする表裏両面を使用できるリバーシブルカーテン。
【請求項２】
上面に蛇腹状のループを形成してなるカーテンであり、該蛇腹状ループの突出部外側に各々係止具を配置してなり、張設時に吊り下げ具に係止される係止具に相対する突出部が室内側もしくは屋外側の一方にのみ深く張設されるように、該係止具をカーテンの表面と裏面に同一配列で形成させたことを特徴とする表裏両面を使用できるリバーシブルカーテン。
【考案の詳細な説明】
【技術分野】
【０００１】
本考案は、両面を使用できるリバーシブルカーテンの吊り下げ構造に関するものである。
【背景技術】
【０００２】
従来より、カーテンの吊り下げ構造として、両端に引っ掛け部を有するフック体の一端をカーテンのプリーツ部に係止させ、他の一端をカーテンレールに沿って移動するランナに係止させるものがある。
【０００３】
しかし、前記吊り下げ構造を有するカーテンにおいては、カーテンを架け替える際にランナに対して着脱がし難く、またカーテンを洗濯する場合等には、カーテンからフック体を取外す必要がある等の煩雑を解消するため、カーテンに雌型係止具を、ランナに雄型係止具を装着させ、両者の係脱により着脱を容易としたものがある。
【０００４】
これらのカーテン装置は、以下の三種類に大別される。一つは、ランナ自体を係止具としたもの（例えば、特許文献１参照）、その二は、既存のランナに係止具を係止させるもの（例えば、特許文献２参照）、その三は、既存のランナに係止具を固着させるもの（例えば、特許文献３参照）。
【先行技術文献】
【特許文献】
【０００５】
【特許文献１】実開平１−１５４８８７号公報（第１頁、第１−２図）
【特許文献２】特開平７−２９８９７８号公報（第４−５頁、図１、３、１０）
【特許文献３】特開平１０−３０４９６９号公報（第３−５頁、図１）
【考案の概要】
【考案が解決しようとする課題】
【０００６】
解決しようとする問題点は、上記のようなカーテンの吊り下げ構造が、係止部をカーテン地の表面側にのみ設けられているものであり、両面を使用できるリバーシブルカーテンの裏面を室内側に向けた状態で張設した場合には係止部も室内側に露呈し、室内の装飾にそぐわないものとなる。
【０００７】
また、室内に立体感がかもし出されることを特徴とする上面に蛇腹状のループを形成してなるリバーシブルカーテン（以下、「リバーシブルカーテン」と記載する。）を張設するにあっては、カーテンの張設環境が一般に屋外側にレース地等に代表される薄手のカーテンを吊り下げるレールと、室内側に装飾と共に目隠しや灯りの漏れを防ぐ目的をもつカーテンを吊り下げるレールとが規定された間隔で配置されており、該リバーシブルカーテンを装丁した場合に、屋外側に突出した部分が該薄手のカーテンを窓際に押しやることとなり、冬季にあっては結露を吸収してしまうことが想定される。
【課題を解決するための手段】
【０００８】
上記課題を解決するために、本考案のリバーシブルカーテンは、上面に蛇腹状のループを形成してなるカーテンであり、使用を表面、裏面に特定することなく、張設時に係止部において突出部が屋外側に浅く、室内側に深く張設されるように配置環境を設定した係止具を、カーテンの表面と裏面に同一配列で形成させた。
【０００９】
請求項２に記載の考案は、上面に蛇腹状のループを形成してなるカーテンであり、該蛇腹状ループの突出部外側に各々係止具を配置してなり、張設時に吊り下げ具に係止される係止具に相対する突出部が室内側もしくは屋外側の一方にのみ深く張設されるように、該係止具をカーテンの表面と裏面に同一配列で形成させたことを特徴とする表裏両面を使用できるリバーシブルカーテンであり、突出部が室内側に深く張設されることにより室内に立体空間が形成され、屋外側に空間を形成する出窓等において屋外側に深く張設した場合には室内に広い奇異間が形成される。
【考案の効果】
【００１０】
以上のように本考案のリバーシブルカーテンは、予め配置環境を設定した係止具を、カーテンの表面と裏面に同一配列で形成させることにより、使用を表面、裏面に特定することなく、設定された条件でカーテンがカーテンレールに垂下される。
【図面の簡単な説明】
【００１１】
【図１】図１は本考案のリバーシブルカーテンの使用状態を示す斜視概略図である。
【図２】図２は本考案のリバーシブルカーテンの使用状態を示す平面視概略図である。
【図３】図３は請求項２に記載のリバーシブルカーテンの概略説明図である。
【考案を実施するための形態】
【００１２】
表面側を室内側等に向けて使用する場合には、カーテンの裏面側に配置された係止具に、ランナに装着された係止具をカーテンの裏面側で勘合させることにより、係止部が室内側に露呈することなく、室内の美観が損なわれることはない。
【００１３】
本考案で係止具は、カーテンの表面と裏面に配置される係止具として雌型係止具を、ランナに装着される係止具として雄型係止具がそれぞれ採用されているが、該係止具は、係止具の一例として記載したものであり、本考案において採用される係止具は、形状もしくは係止方法が特定されるものではない。
【実施例】
【００１４】
本発明の実施例を図面について説明すると、図１、図２において、１は本考案のリバーシブルカーテンであり、その上端吊縁部には横幅方向に一定の間隔をおいて、カーテンの表面に係止具２が、カーテンの裏面に係止具３が、それぞれ配置される。吊縁部に一定の間隔をおいて配置された係止具２、係止具３は、それぞれ配置された位置において移動、もしくは脱落することのないよう固着される。
【００１５】
上記したように、係止具２、係止具３は、吊縁部に複数個所、横幅方向に一定の間隔をおいてそれぞれカーテンの表面もしくは裏面に同一の形態をなすように配列されており、使用に際しては表面側係止具２、又は裏面係止具３を、カーテンレールのランナ（図示せず）に取り付けられた吊り下げ具４にリバーシブルカーテンの所望の面を選択して取り付けて張設される。吊り下げ具４には、係止具２、もしくは裏面係止具３を吊り下げ具４に取り付けるための係止具が配置されている。
【００１６】
本考案のリバーシブルカーテンのカーテン地は、表裏に異なる色彩、或いは図柄等を設けた織地のように一枚の布帛よりなるもの、もしくは互いに色彩や図柄模様等が異なった二枚の布帛の二重縫製カーテン地を使用されるが、レース編みのような編地を使用してもよい。
【符号の説明】
【００１７】
１    本考案のリバーシブルカーテン
２    カーテンの表面に配置された係止具
３    カーテンの裏面に配置された係止具
４    カーテン吊り下げ具
５    本考案のリバーシブルカーテンを吊り下げるカーテンレール
６    レース地等の薄手のカーテンを吊り下げるカーテンレール
Ａ    室内側
Ｂ    屋外側
【図１】
0003157151.tif 000003
【図２】
0003157151.tif 000004
【図３】
0003157151.tif 000005